(57)【要約】【課題】払い出される遊技球を効率よく供給皿に受容させるとともに、遊技における出球感を遊技者に感じさせる。【解決手段】排出通路部材４６を、第１通路部材５０、第２通路部材５１、第３通路部材５２から構成する。第３通路部材５２は、遊技球を落下させる第２落下通路５７と、第２落下通路５７から分岐する補助通路５８とを備えている。第２落下通路５７は、貯留タンク４２と連通しており、払出し装置４５から払い出された遊技球は第２落下通路５７を落下する。その後、貯留タンク４２の内部に案内された遊技球は、第１払出し口３５を介して供給皿２７に払い出される。一方、補助通路５８は、第２落下通路５７に満たされた遊技球が補助通路５８との分岐点５９まで到達した場合に遊技球が落下する通路である。この補助通路５８を案内された遊技球は、補助タンク４３に案内された後に、第２払出し口３８を介して供給皿２７に払い出される。【選択図】        図５
2007029364.tif 000002
【特許請求の範囲】
【請求項１】
遊技球を発射装置に向けて整列させて送り込む送り込み通路と、
前記送り込み通路の上流側に向けて傾斜する第１傾斜面を備えた遊技球受容領域と、前記第１傾斜面の上流側に向けて傾斜する第２傾斜面を備えた遊技球補給領域とが設けられ、前記遊技球補給領域に補給された遊技球が前記遊技球受容領域に向けて転動する方向と、遊技球受容領域に受容された遊技球が送り込み通路に向けて転動する方向とが逆方向となるとともに、前記遊技球受容領域の第１傾斜面と前記遊技球補給領域の第２傾斜面とが連続した底面からなる供給皿と、
前記供給皿に向けて遊技球を払い出す払出し装置からの遊技球が前記供給皿に向けて案内される払出し通路と、
前記払出し通路の内部を案内された遊技球を前記供給皿に払い出す払出し口と、を備えた遊技機であって、
前記払出し口は、前記遊技球を前記第１傾斜面に払い出す第１払出し口と、前記遊技球を前記第２傾斜面に払い出す第２払出し口とから構成されるとともに、
前記払出し通路は、前記第１払出し口と連通する案内通路と、前記第２払出し口と連通する補助通路とから構成されることを特徴とする遊技機。
【請求項２】
前記案内通路は、前記払出し装置からの遊技球を落下させる落下通路部と、前記落下通路部の内部を落下した遊技球を第１払出し口へと転動させる転動通路部とから構成され、前記補助通路の上流側端部が前記落下通路部に連通していることを特徴とする請求項１記載の遊技機。
【請求項３】
前記第１払出し口と連通する前記案内通路の下流側端部の側壁面には、前記案内通路の内部を遊技機の外部から観察させる視野窓が設けられていることを特徴とする請求項１又は２記載の遊技機。
【発明の詳細な説明】
【技術分野】
【０００１】
本発明は、パチンコ店等の遊技場に設置して使用されるパチンコ機等の遊技機に関するものである。
【背景技術】
【０００２】
遊技場に設置される遊技機の一つとしてパチンコ機が挙げられる。このパチンコ機には、入賞に対して払い出された遊技球が受容され、受容された遊技球が発射装置に向けて自動的に送り出される供給皿と、該供給皿の下方に設けられ、前記供給皿が払い出された遊技球で満たされた場合に、それ以降に払い出される遊技球が受容される補助受け皿とが設けられた構成となっている。
【０００３】
最近では、遊技領域が広く確保されたパチンコ機が主流となっている。このようなパチンコ機の中には、遊技領域を広く確保するために上述した供給皿のみが設けられたものが提供されている。このような供給皿のみが設けられる場合、上述した供給皿と補助受け皿とを備えた場合に比べて、払い出される遊技球の受容量が少なくなるという欠点がある。このような欠点を解決する方法として、例えばパチンコ機内部に、払い出される遊技球を一時的に貯留する貯留タンクを設けることが考えられる（特許文献１）。
【特許文献１】特開２００３−２０５１５６号公報
【発明の開示】
【発明が解決しようとする課題】
【０００４】
例えばパチンコ機内部に貯留タンクを設けた場合、供給皿に受容された遊技球が少なくなると、貯留タンクに貯留された遊技球が供給皿に払い出されることになるが、貯留タンクから供給皿へと払い出される遊技球が、どの入賞に対して払い出されたものかがわかりづらく、入賞を得たときの出球感が感じられにくいという問題がある。また、上述した供給皿が、払い出される遊技球を受容する受容領域と、遊技場が準備している収納箱に排出された遊技球を遊技者が補給する補給領域とから構成され、また遊技球が受容領域に直接払い出される場合には、払い出される遊技球が補給領域まで満たされることが少ないため、遊技を行っている場合に、供給皿を効率良く使用しているとは言い難いという問題もある。
【０００５】
本発明は、上記課題を解決するためになされたものであり、払い出される遊技球を効率よく供給皿に受容させることができるようにするとともに、遊技における出球感を遊技者に感じさせることができるようにした遊技機を提供することを目的とする。
【課題を解決するための手段】
【０００６】
上記目的を達成するために、本発明の遊技機は、遊技球を発射装置に向けて整列させて送り込む送り込み通路と、前記送り込み通路の上流側に向けて傾斜する第１傾斜面を備えた遊技球受容領域と、前記第１傾斜面の上流側に向けて傾斜する第２傾斜面を備えた遊技球補給領域とが設けられ、前記遊技球補給領域に補給された遊技球が前記遊技球受容領域に向けて転動する方向と、遊技球受容領域に受容された遊技球が送り込み通路に向けて転動する方向とが逆方向となるとともに、前記遊技球受容領域の第１傾斜面と前記遊技球補給領域の第２傾斜面とが連続した底面からなる供給皿と、前記供給皿に向けて遊技球を払い出す払出し装置からの遊技球が前記供給皿に向けて案内される払出し通路と、前記払出し通路の内部を案内された遊技球を前記供給皿に払い出す払出し口と、を備えた遊技機であって、前記払出し口は、前記遊技球を前記第１傾斜面に払い出す第１払出し口と、前記遊技球を前記第２傾斜面に払い出す第２払出し口とから構成されるとともに、前記払出し通路は、前記第１払出し口と連通する案内通路と、前記第２払出し口と連通する補助通路とから構成されることを特徴とする。
【０００７】
また、前記案内通路は、前記払出し装置からの遊技球を落下させる落下通路部と、前記落下通路部の内部を落下した遊技球を第１払出し口へと転動させる転動通路部とから構成され、前記補助通路の上流側端部が前記落下通路部に連通していることを特徴とする。
【０００８】
また、前記第１払出し口と連通する案内通路の下流側端部の側壁面には、前記案内通路の内部を遊技機の外部から観察させる視野窓が設けられていることを特徴とする。
【発明の効果】
【０００９】
本発明の遊技機によれば、遊技球を発射装置に向けて整列させて送り込む送り込み通路と、前記送り込み通路の上流側に向けて傾斜する第１傾斜面を備えた遊技球受容領域と、前記第１傾斜面の上流側に向けて傾斜する第２傾斜面を備えた遊技球補給領域とが設けられ、前記遊技球補給領域に補給された遊技球が前記遊技球受容領域に向けて転動する方向と、遊技球受容領域に受容された遊技球が送り込み通路に向けて転動する方向とが逆方向となるとともに、前記遊技球受容領域の第１傾斜面と前記遊技球補給領域の第２傾斜面とが連続した底面からなる供給皿と、前記供給皿に向けて遊技球を払い出す払出し装置からの遊技球が前記供給皿に向けて案内される払出し通路と、前記払出し通路の内部を案内された遊技球を前記供給皿に払い出す払出し口と、を備えた弾球遊技機であって、前記払出し口は、前記遊技球を前記第１傾斜面に払い出す第１払出し口と、前記遊技球を前記第２傾斜面に払い出す第２払出し口とから構成されるとともに、前記払出し通路は、前記第１払出し口と連通する案内通路と、前記第２払出し口と連通する補助通路とから構成されるから、例えば、遊技球補給領域を遊技球受容領域として使用することができるので、払い出される遊技球を供給皿に効率良く受容させることができる。また、遊技球補給領域に遊技球を払い出すことで遊技者に出球感を感じさせることができるというメリットがある。
【００１０】
また、前記案内通路は、前記払出し装置からの遊技球を落下させる落下通路部と、前記落下通路部の内部を落下した遊技球を第１払出し口へと転動させる転動通路部とから構成され、前記補助通路の上流側端部が前記落下通路部に連通しているから、供給皿の遊技球第１払出し口と分岐部との間の通路を、遊技球を貯留させるスペースとして使用することができる。
【００１１】
また、前記第１払出し口と連通する案内通路の下流側端部の側壁面には、前記案内通路の内部を遊技機の外部から観察させる視野窓が設けられているから、例えば払い出される遊技球や、貯留タンクの内部に貯留された遊技球を遊技者が見ることによって、遊技者に出球感を感じやすくさせるという利点がある。
【発明を実施するための最良の形態】
【００１２】
図１に、本発明を用いたパチンコ機の外観を示す。このパチンコ機２は、基体となる本体部材３に、上部扉４及び下部扉５からなる２枚の前面扉６が本体部材３に対して回動自在となるように、図示しないヒンジ部を介して組み付けられる。上部扉４の中央には開口４ａが設けられており、この開口４ａは上部扉４の裏側に取り付けられるガラス７等の透光性を有する部材により遮蔽される。なお、上部扉４が閉じている状態では、遊技の際に遊技領域１０を流下する遊技球８０（図６参照）や、遊技領域１０に設けられた構造物は、上記開口４ａを遮蔽するガラス７（図４参照）を介して視認される。なお、符号８は、本体部材３を遊技場等に固定するための固定枠である。
【００１３】
開口４ａから視認される遊技領域１０には、センター役物１５と呼ばれる役物装置が遊技領域の略中央に設けられている。このセンター役物１５には、「大当たり」状態へ移行するか否かの移行抽選が行われた際に所定の図柄が可変表示される表示画面１６が位置する。なお、この表示画面１６は、例えば液晶パネルや、ブラウン管等の表示画面等が挙げられる。このセンター役物１５の下方には、例えば通過チャッカー１７、始動チャッカー１８、入賞チャッカー１９等の入賞装置の他に、アタッカ２０と呼ばれる可動入賞装置が配置される。なお、これら入賞装置については、周知であるため、その詳細は省略する。なお、符号２１はアウト口であり、遊技領域１０を流下する遊技球８０のうち、上述した入賞装置に入賞しなかった遊技球８０を回収するために設けられている。
【００１４】
下部扉５には、操作ハンドル２５、貸し球ボタン２６、供給皿２７等が設けられている。操作ハンドル２５は、発射装置２８における遊技球８０の打ち出しを行う際に操作されるものである。この操作ハンドル２５の内部には、その操作量に応じて変化する操作ボリューム（図示せず）が設けられており、発射装置２８は、その操作ボリュームの値に基づいた打ち出し強さで、遊技球８０を遊技領域１０に向けて打ち出す。
【００１５】
貸し球ボタン２６は、パチンコ機２の側方に設けられたＣＲ（カードリーダー）機にプリペイドカードを挿入することで、その操作が有効となる。この貸し球ボタン２６が有効となる場合に操作されることによって、所定個数の遊技球８０の貸し出しが実行される。この貸し球ボタン２６の内部には、貸し球スイッチセンサ７０（図６参照）が内蔵されており、この貸し球スイッチセンサ７０がオンになると、そのオン信号（以下、貸し球信号）が払出し制御装置７１（図６参照）に出力される。これを受けて、払出し制御装置７１は、後述する払出し装置４５を駆動させ、貸し球としての遊技球８０を供給皿２７に払い出す。
【００１６】
図２又は図３に示すように、供給皿２７は、遊技を開始する場合や、上述した入賞装置に遊技球８０が入賞した場合に駆動する払出し装置４５（図４参照）によって払い出された遊技球８０を受容するために設けられている。この供給皿２７は、遊技球受容領域３１と、遊技球補給領域３２との２つの領域を備えている。なお、符号３３は、遊技球補給領域３２を転動する遊技球８０が、遊技球受容領域３１と送り込み通路３６へ直接転動することを防止するための仕切り板である。
【００１７】
遊技球受容領域３１は、供給皿２７の長手方向のうち、操作ハンドル２５が設けられた一端側に設けられている。この遊技球受容領域３１は、第１払出し口３５から払い出される遊技球８０を受容するために設けられている。この遊技球受容領域３１は、発射装置１５に向けて遊技球８０を整列させた状態で送り込む送り込み通路３６と連通されている。この遊技球受容領域３１における底面（第１傾斜面）３１ａは、送り込み通路３６に向けて下り傾斜した傾斜面から構成されており、送り込み通路３６の底面３６ａと連続して形成されている。これにより、遊技球受容領域３１に受容された遊技球８０は、送り込み通路３６に向けて（図２中Ａ方向に）転動するようになっている。
【００１８】
遊技球補給領域３２は、供給皿２７の長手方向のうち、発射装置１５が設けられた一端側に設けられている。この遊技球補給領域３２は、供給皿２７から遊技場に準備された収納箱（図示せず）へ排出された遊技球８０を、遊技者自身の手で供給皿２７に補給する領域、或いはパチンコ機の側部に配置される貸し球機（台間サンド）から払い出される球を受ける領域となる。この遊技球補給領域３２の底面（第２傾斜面）３２ａは、遊技球受容領域３１の底面３１ａのうち、上流側の領域に向けて下り傾斜する傾斜面からなり、遊技球補給領域３２で補給された遊技球８０は、該遊技球補給領域３２の底面３２ａを遊技球受容領域３１に向けて（図２中Ｂ方向に）転動し、遊技球受容領域３１に受容される。このとき、遊技領域受容領域３１に受容された遊技球８０は、供給皿２７の内壁面２７ａ（図７参照）にぶつかることで、その転動方向が例えば、図７中Ｉ方向から図７中Ｅ方向へと変化する。また、遊技球補給領域３２から遊技球受容領域３１へと遊技球８０が転動する方向（図２中Ａ方向）と、遊技球受容領域３１から送り込み通路３６へと遊技球８０が転動する方向（図２中Ｂ方向）は、略逆方向となる。また、遊技球受容領域３１の底面３１ａと、遊技球補給領域３２の底面３２ａとの境界には、段差面３７が設けられており、遊技球受容領域３１に受容された遊技球８０が遊技球補給領域３２に逆流しないようになっている。
【００１９】
また、遊技球補給領域３２は、第２払出し口３８から払い出された遊技球８０が転動する領域となる。この第２払出し口３８は、後述する補助通路５８（図５参照）を案内された遊技球８０、或いはファール球通路６４（図５参照）を案内された遊技球８０を払い出すために設けられている。なお、後述する補助通路５８を案内されることによって第２払出し口３８から供給皿２７に遊技球８０が払い出された場合、遊技球受容領域３１には遊技球８０で満たされているので、第２払出し口３８から払い出される遊技球８０は、遊技球補給領域３２に受容される。これにより、遊技球補給領域３２は、遊技球受容領域として使用される場合がある。なお、符号３９，４０は、供給皿２７に受容された遊技球８０をパチンコ機２の外部に排出する際に操作される排出ボタンであり、符号４１は、これら排出ボタン３９，４０のいずれかが操作された場合に開放される排出口である。
【００２０】
図４に示すように、パチンコ機２の本体部材３の後面側には、遊技球８０の払い出し動作を行うための払出し装置４５、排出通路部材４６、貯留タンク４７、及び補助タンク４８が設けられている。払出し装置４５は、払出し制御装置７１（図６参照）によってその駆動制御が行われる。例えば貸し球スイッチセンサ７０（図６参照）からの貸し球信号や、遊技を行って入賞したときに遊技制御回路７２（図６参照）から出力される入賞信号が払出し制御装置７１に入力されると、払出し制御装置７１によって払出し装置４５が駆動され、所定個数の遊技球８０を払い出す。なお、払出し装置４５は、払い出される遊技球８０を検知する検知手段を備えており、この検知手段からの検知信号の数が貸し球信号、或いは入賞信号に基づいた数に到達した場合に、払出し制御装置７１によって払出し装置４５の駆動が停止される。
【００２１】
図５に示すように、排出通路部材４６は、払出し装置４５の下方に、また、払出し装置４５における排出口（図示せず）に連通するように設けられている。この排出通路部材４６の内部に排出通路（払出し通路）４９が設けられている。この排出通路部材４６は、例えば第１通路部材５０、第２通路部材５１、第３通路部材５２等の複数の通路部材から構成され、これら複数の通路部材が、例えばクランク状に配置されている。
【００２２】
第１通路部材５０は、その上流端が払出し装置４５に連通するように配置されている。この第１通路部材５０は、払出し装置４５から払い出された遊技球８０を、遊技球８０の自重によって落下させる。なお、以下では、第１通路部材５０の内部の空間を、第１落下通路５５として説明する。
【００２３】
第２通路部材５１は、その一端側が第１通路部材５０と略直交するように配置されている。この第２通路部材５１は、その一端の上面に第１通路部材５０の下流側端部と連通し、第１落下通路５５を落下する遊技球８０を受け入れる受け口５１ａが設けられている。また、その他端側の下面には、該第２通路部材５１の内部を転動する遊技球８０を第３通路部材５２に案内する為の排出口５１ｂが設けられている。なお、以下では、第２通路部材５１の内部の空間を転動通路５６として説明する。
【００２４】
第３通路部材５２は、第２通路部材５１の下流側端部と連通し、かつ、第２通路部材５１と略直交するように設けられている。この第３通路部材５２は、転動通路５６を転動した遊技球８０を自由落下させる第２落下通路５７、該第２落下通路５７の途中から分岐する補助通路５８が設けられている。第２落下通路５７は、その下流側端部が貯留タンク４７と連設されており、第２落下通路５７を落下する遊技球８０は、貯留タンク４７に設けられた受け口４７ａから内部に案内される。符号５９は、第２落下通路５７と、補助通路５８との分岐点である。なお、第１落下通路５５、転動通路５６、第２落下通路５７により、案内通路６０が構成される。
【００２５】
補助通路５８は、第２落下通路５７のうち、補助通路５８との分岐点５９まで遊技球８０が満たされた場合に、排出通路４９の内部を案内される遊技球８０を供給皿２７に向けて排出するために設けられている。この補助通路５８の下流端は、補助タンク４８に連通されている。なお、符号６２、６３は、ファール球としての遊技球８０を回収するための回収口、符号６４は、回収口６２，６３によって回収された遊技球８０を供給皿２７に案内するためのファール球通路である。なお、補助通路５８と、案内通路６０とから、払出し装置４５からの遊技球を供給皿２７に払い出す際の排出通路４９が構成される。
【００２６】
貯留タンク４７は、供給皿２７の遊技球受容領域３１が遊技球８０で満たされた場合に、案内通路６０の内部を案内される遊技球８０を一時的に貯留するために設けられている。この貯留タンク４７は、略方体形状から構成され、また、その内部が中空から構成されている。この貯留タンク４７の上面には、第２落下通路５７の下流端と連通する受け口４７ａが設けられている。また、この貯留タンク４７には、第１払出し口３５と対面する排出口４７ｂが設けられている。この貯留タンク４７には、排出口４７ｂの他に、視野窓６６が設けられている。この視野窓６６は、貯留タンク４７の内部を転動する遊技球８０、或いは、貯留タンク４７の内部に貯留された遊技球８０を遊技者に視認させるために設けられている。
【００２７】
補助タンク４８は、供給皿２７の遊技球補給領域３２が遊技球８０で満たされた場合に、補給通路５８の内部を案内される遊技球８０を一時的に貯留するために設けられている。この補助タンク４８は、略方体形状から構成され、その内部が中空から構成されている。この補助タンク４８の上部には、補助通路５８の下流端と連通する受け口４８ａが、補助タンク４８の側部には、ファール球通路６４と連通する受け口４８ｂがそれぞれ設けられている。
【００２８】
次に、本実施形態の作用について説明する。遊技者が遊技を行う際に、例えばパチンコ機の側方に設けられたＣＲ（カードリーダー）機にプリペイドカードを挿入し、パチンコ機２に設けられた貸し球ボタン２６を操作する。図６に示すように、貸し球ボタン２６が操作されると、貸し球スイッチセンサ７０がオンとなり、貸し球信号が払出し制御装置７１に向けて出力される。これを受けて払出し制御装置７１は、払出し装置４５を作動させる。これにより、遊技球８０の払い出しが行われる。この払出し装置４５は、第１落下通路５５と連通しているから、払い出される遊技球８０は、第１落下通路５５を落下する。第１落下通路５５を落下した遊技球８０は、受け口５１ａから転動通路５６の内部に落下し、該転動通路５６の内部を転動していく。そして、転動通路５６の下流側端部に到達すると、遊技球８０は、排出口５１ｂから第２落下通路５７に落下する。この第２落下通路５７を落下する遊技球８０は、貯留タンク４７の上面に設けられた受け口４７ａから、その内部に案内される。
【００２９】
図７に示すように、貯留タンク４７の内部に案内された遊技球８０は、貯留タンク４７の内部を図７中Ｃ方向に転動した後、排出口４７ｂに向けて（図７中Ｄ方向に）転動する。そして、排出口を通過した遊技球８０は、第１払出し口３５から供給皿２７の遊技球受容領域３１に払い出される。遊技球受容領域３１の底面３１ａは、送り込み通路３６に向けて下り傾斜した傾斜面から構成されているから、遊技球受容領域３１に払い出された遊技球８０は、送り込み通路３６に向けて（図７中Ｅ方向に）転動する。なお、送り込み通路３６に向けて転動する遊技球８０は、送り込み通路３６の内部で整列される。遊技者が遊技を行っている場合には操作ハンドル２５が操作されているので、送り込み通路３６の内部の遊技球８０は、送り込み装置７３によって１個ずつ発射装置２８に送り込まれる。そして、発射装置１５に送り込まれた遊技球８０は、発射装置２８によって遊技領域１０に向けて打ち出される。
【００３０】
操作ハンドル２５を操作して遊技球８０の打ち出しを行った場合に、打ち出された遊技球８０が、遊技領域１０まで打ち出されない、所謂ファール球となる場合がある。この場合、このような遊技球８０は、回収口６２，６３に回収される。回収口６２によって回収された遊技球８０は図７中Ｆ方向に移動することでファール球通路６４の内部を転動する。また、回収口６３によって回収された遊技球８０は図７中Ｇ方向に移動して、ファール球通路６４の内部を転動する。これら遊技球８０は補助タンク４８の内部に案内され、第２払出し口３８に向けて（図７中Ｈ方向に）転動する。そして、第２払出し口３８からの遊技球８０が供給皿２７の遊技球補給領域３２に払い出される。遊技球補給領域３２の底面３２ａは、遊技球受容領域３１に向けて下り傾斜する傾斜面から構成されているから、遊技球補給領域３２に払い出された遊技球８０は、図７中Ｉ方向に転動し、遊技球受容領域３１に受容される。
【００３１】
遊技者が操作ハンドル２５を操作して遊技を行って、入賞装置のいずれかに遊技球８０が入賞すると、遊技制御装置７２から払出し制御装置７１に賞球信号が出力される。これを受けて、払出し制御装置７１は、払出し装置４５を作動させ、入賞に基づく遊技球８０の払い出しを行う。なお、この場合、貸し球を行う場合と同様であり、払出し装置４５が作動すると、遊技球８０が第１落下通路５５の内部に払い出される。なお、払い出された遊技球８０は第１落下通路５５を落下し、転動通路５６の内部に案内される。そして、転動通路５６の内部に案内された遊技球８０は、該転動通路５６の内部を転動し、第２落下通路５７の内部に案内される。第２落下通路５７の内部に案内された遊技球８０は、第２落下通路５７の内部を落下した後に貯留タンク４７の内部に案内される。なお、貯留タンク４７の側面には視野窓６６が設けられているから、遊技者は、この視野窓６６を介して遊技球８０が貯留タンク４７の内部を転動している様子を見ることができる。これにより、払出し装置４５から払い出される遊技球８０の出球感を遊技者に感じさせることができる。
【００３２】
なお、遊技を行っている際に、遊技球８０が始動チャッカー１８に入賞した場合、移行抽選が行われるとともに、表示画面１６において図柄の変動表示等が行われる。この図柄の変動表示は所定時間経過すると終了し、図柄の停止表示が行われる。例えば３個の図柄が停止表示される場合、移行抽選で当選すると、例えば「７−７−７」のように同一の図柄が停止表示されることになる。この移行抽選で当選すると、遊技状態が、通常の遊技が行われる通常状態から、通常モードよりも入賞し易くなる「大当たり」状態に移行する。
【００３３】
「大当たり」状態に移行すると、アタッカ２０が所定のタイミングで開放されるので、アタッカ２０が開放されているときにはアタッカの内部に設けられた大入賞口に遊技球８０が入賞し易くなる。これにより、「大当たり」状態では、数多くの遊技球８０が賞球として払出し装置４５から払い出されることになる。入賞に基づく遊技球８０の払い出し数に対して、発射装置２８における遊技球８０の打ち出し数は一定であるから、払出し装置４５から数多くの遊技球８０が払い出されると、供給皿２７の遊技球受容領域３１は第１払出し口３５から払い出された遊技球８０で満たされることになる。なお、遊技球受容領域３１の底面３１ａと、遊技球補給領域３２の底面とには段差面３７が形成されているから、遊技球受容領域３１に受容される遊技球８０は、遊技球補給領域３２内に受容されることがない。そして、供給皿２７の遊技球受容領域３１が払い出された遊技球８０によって満たされると、さらに払い出された遊技球８０は、貯留タンク４７の内部に貯留されることになる。なお、視野窓６６からは貯留タンク４７に遊技球８０が貯留されている様子を見ることができるから、遊技者は、遊技球８０の出球感を感じやすくなる。
【００３４】
図８に示すように、貯留タンク４７に貯留された状態で、入賞による遊技球８０の払い出しがさらに行われると、第２落下通路５７に遊技球８０が貯留されていく。そして、第２落下通路５７と、補助通路５８との分岐点５９まで遊技球８０が貯留されると、払い出される遊技球８０は、第２落下通路５７から補助通路５８に案内される。この補助通路５８に案内された遊技球８０は、補助通路５８を落下し、補助タンク４８の受け口４８ａから補助タンク４８の内部に案内される。なお、補助タンク４８の内部に案内された遊技球８０は、補助タンク４８の内部を転動し、第２払出し口３８から遊技球補給領域３２に払い出される。
【００３５】
図９に示すように、遊技球補給領域３２に払い出された遊技球８０は、遊技球受容領域３１に向けて（図９中Ｊ方向に）遊技球補給領域３２を転動することになるが、遊技球受容領域３１は遊技球８０で満たされているから、第２払出し口３８から払い出された遊技球８０は、遊技球補給領域３２の下流側から満たされていく。そして、遊技球補給領域３２が遊技球８０によって満たされると、補助タンク４８の内部に払い出された遊技球８０が貯留される。これにより、供給皿２７を有効に使用することができる。また、貯留タンク４７と、補助タンク４８とを設けることで、より多くの遊技球８０をパチンコ機２の内部で貯留させることができるので、供給皿２７が遊技球８０で満たされることによって、遊技球８０を遊技場に設けられた貯留箱に排出する回数が減り、遊技の進行を妨げることを防止することができる。
【００３６】
本実施形態では、通常遊技球が払い出される払出し口を、第１払出し口としたが、これに限定する必要はなく、第２払出し口から払い出されるようにしてもよい。この場合、供給皿に受容できる遊技球の数を多くすることができ、また、供給皿が遊技球で満たされた場合には、本実施形態に示した貯留タンクに遊技球を貯留させることができる。
【００３７】
本実施形態では、供給皿の遊技球受容領域から送り込み通路へ転動する遊技球の方向と、遊技球補給領域から遊技球受容領域へと転動する遊技球の方向が逆方向となるように遊技球受容領域と、遊技球補給領域とを配置したが、これに限定する必要はなく、供給皿の遊技球受容領域から送り込み通路へ転動する遊技球の方向と、遊技球補給領域から遊技球受容領域へと転動する遊技球の方向が同一方向となるように、遊技球受容領域と、遊技球補給領域とを配置した供給皿としてもよい。
【００３８】
本実施形態では、案内通路の下流側端部と第１払出し口との間に貯留タンクを設けた例を示したが、これに限定する必要はなく、例えば、案内通路の下流端を第１払出し口と連通させるようにしてもよい。この場合、本実施形態の視野窓は、案内通路の下流側端部の側壁面に設けられることになり、遊技者は案内通路の内部を転動する遊技球、或いは案内通路の内部に一時的に貯留された遊技球を観察することになる。
【００３９】
本実施形態では、遊技機としてパチンコ機の例を取り上げたが、これに限定する必要はなく、例えばパチンコ球等の遊技球を投入することによって遊技が実行可能となるスロットマシンや、遊技球を使用する他の遊技機にも利用することが可能である。
【図面の簡単な説明】
【００４０】
【図１】パチンコ機の外観を示す斜視図である。
【図２】下部扉の構成を示す斜視図である。
【図３】供給皿の構成を示す正面図である。
【図４】パチンコ機の本体枠の構成を示す斜視図である。
【図５】排出通路、及びその近傍の構成の一例を示す斜視図である。
【図６】排出通路を遊技球が案内される様子を示す説明図である。
【図７】貯留タンク、及び供給皿に払い出された場合の遊技球の動きの一例を示す説明図である。
【図８】排出通路を遊技球が案内される様子を示す説明図である。
【図９】補助タンク、及び供給皿に払い出された場合の遊技球の動きの一例を示す説明図である。
【符号の説明】
【００４１】
２  パチンコ機
２６  貸し球ボタン
２７  供給皿
２８  発射装置
３６  送り込み通路
３１  遊技球受容領域
３１ａ  底面（第１傾斜面）
３２  遊技球補給領域
３２ａ  底面（第２傾斜面）
３５  第１払出し口
３８  第２払出し口
４５  払出し装置
４７  貯留タンク（転動通路部）
４８  補助タンク
４９  排出通路（払出し通路）
５５  第１落下通路
５６  転動通路
５７  第２落下通路（落下通路部）
５８  補助通路
５９  分岐点
６０  案内通路
６６  視野窓
８０  遊技球
【図１】
2007029364.tif 000003
【図２】
2007029364.tif 000004
【図３】
2007029364.tif 000005
【図４】
2007029364.tif 000006
【図５】
2007029364.tif 000007
【図６】
2007029364.tif 000008
【図７】
2007029364.tif 000009
【図８】
2007029364.tif 000010
【図９】
2007029364.tif 000011